(57)【要約】【課題】使用する場所の広さに応じたアレンジが容易で、使い勝手を向上させた簡易パーテーションを提供する。【解決手段】簡易パーテーション１は、長方形状に構成されたフレーム１１と、フレーム１１に設けられた目隠しであるカーテン１２と、簡易パーテーション１が前後方向に転倒することを防止するようフレーム１２の縦枠材に着脱自在に取り付けられるスタンド１３とを有しており、カーテン１２の左右両側の左側突出端部と右側突出端部とには、それぞれ、隣接する他の簡易パーテーション１のカーテン１２と連結するための第１連結部材として例えばオス側面状ファスナーとメス側面状ファスナーとが設けられている。【選択図】図２
2019013287.tif 000002
【特許請求の範囲】
【請求項１】
長方形状に構成されたフレームに目隠しとしてカーテンを取り付けた簡易パーテーションであって、
前記カーテンの左右両側には、隣接する他の簡易パーテーションのカーテンと連結するための第１連結部材が備えられていることを特徴とする簡易パーテーション。
【請求項２】
請求項１記載の簡易パーテーションにおいて、
前記フレームは、
左縦枠材、右縦枠材、上縦枠材および下縦枠材により長方形状に構成されていると共に、前記左縦枠材と右縦枠材間の上下にそれぞれカーテン取付け用パイプを設けて構成されており、
前記カーテンは、
前記左縦枠材および右縦枠材と前記上下のカーテン取付け用パイプとに囲まれた部分の形状および大きさに応じて略四角形状のカーテン本体と、
そのカーテン本体の左右上下それぞれの辺から突出するように設けられた左側突出端部、右側突出端部、上側突出端部および下側突出端部とを有し、
前記左側突出端部と右側突出端部とにはそれぞれ前記第１連結部材が設けられている一方、
前記上側突出端部および前記カーテン本体の上部と前記下側突出端部および前記カーテン本体の下部とには、それぞれ、前記上下のカーテン取付け用パイプに対し連結するための第２連結部材が設けられていることを特徴とする簡易パーテーション。
【請求項３】
請求項２記載の簡易パーテーションにおいて、
前記左縦枠材と右縦枠材は、断面が扁平形状に形成されており、
前記左縦枠材と右縦枠材とには、それぞれ、当該簡易パーテーションが前後方向に転倒することを防止するスタンドが着脱自在に取り付けられ、
当該スタンドは、
前記左縦枠材と右縦枠材の外側面を挟持部によって挟持して前記左縦枠材と右縦枠材に着脱自在に装着されるスタンド取付け部材と、
前記スタンド取付け部材に対し上端部が前後方向に回動可能に取り付けられた一対の脚部とを備え、
前記挟持部は、前記左縦枠材と右縦枠材の扁平形状に応じた形状で、かつ、前記左縦枠材または右縦枠材を挟持して装着された場合、前記一対の脚部が前記上縦枠材および下縦枠材の長手方向に対し直交する方向に開閉するように形成されていることを特徴とする簡易パーテーション。
【発明の詳細な説明】
【技術分野】
【０００１】
本発明は、長方形状に構成されたフレームに目隠しとしてカーテンを取り付けた簡易パーテーションに関する。
【背景技術】
【０００２】
従来の簡易パーテーションとして、例えば、複数の長方形状のフレーム、例えば、３個一組の長方形状のフレームを一組として連結部材で連結し、１枚のシート部（カーテン）でカバーして、フレーム間に隙間が発生しないように構成としたものが提案されている。（例えば、特許文献１参照。）。
【先行技術文献】
【特許文献】
【０００３】
【特許文献１】特開２０１４−３６７６２号公報
【発明の概要】
【発明が解決しようとする課題】
【０００４】
しかし、上述の特許文献１の簡易パーテーションでは、広い場所で使用する場合には、３個一組の長方形状のフレームを１枚のシート部（カーテン）でカバーした簡易パーテーションを複数台並べる必要があり、その際には、隙間が発生するおそれがある。
【０００５】
一方、狭い場所で使用する際には、３個一組の長方形状のフレームを２個のフレームのみを使用する場合、３個のフレームの大きさに合わせたシート部（カーテン）が大き過ぎてしまい、使用する場所の広さに応じたアレンジが困難で、使い勝手が悪くなる。
【０００６】
本発明はこのような問題点に着目してなされたもので、使用する場所の広さに応じたアレンジが容易で、使い勝手を向上させた簡易パーテーションを提供することを目的とする。
【課題を解決するための手段】
【０００７】
前記課題を解決するため、本発明に係る簡易パーテーションは、長方形状に構成されたフレームに目隠しとしてカーテンを取り付けた簡易パーテーションであって、前記カーテンの左右両側には、隣接する他の簡易パーテーションのカーテンと連結するための第１連結部材が備えられていることを第１の特徴とする。
また、本発明に係る簡易パーテーションは、前記フレームは、左縦枠材、右縦枠材、上縦枠材および下縦枠材により長方形状に構成されていると共に、前記左縦枠材と右縦枠材間の上下にそれぞれカーテン取付け用パイプを設けて構成されており、前記カーテンは、前記左縦枠材および右縦枠材と前記上下のカーテン取付け用パイプとに囲まれた部分の形状および大きさに応じて略四角形状のカーテン本体と、そのカーテン本体の左右上下それぞれの辺から突出するように設けられた左側突出端部、右側突出端部、上側突出端部および下側突出端部とを有し、前記左側突出端部と右側突出端部とにはそれぞれ前記第１連結部材が設けられている一方、前記上側突出端部および前記カーテン本体の上部と前記下側突出端部および前記カーテン本体の下部とには、それぞれ、前記上下のカーテン取付け用パイプに対し連結するための第２連結部材が設けられていることを第２の特徴とする。
また、本発明に係る簡易パーテーションは、前記左縦枠材と右縦枠材は、断面が扁平形状に形成されており、前記左縦枠材と右縦枠材とには、それぞれ、当該簡易パーテーションが前後方向に転倒することを防止するスタンドが着脱自在に取り付けられ、当該スタンドは、前記左縦枠材と右縦枠材の外側面を挟持部によって挟持して前記左縦枠材と右縦枠材に着脱自在に装着されるスタンド取付け部材と、前記スタンド取付け部材に対し上端部が前後方向に回動可能に取り付けられた一対の脚部とを備え、前記挟持部は、前記左縦枠材と右縦枠材の扁平形状に応じた形状で、かつ、前記左縦枠材または右縦枠材を挟持して装着された場合、前記一対の脚部が前記上縦枠材および下縦枠材の長手方向に対し直交する方向に開閉するように形成されていることを第３の特徴とする。
【発明の効果】
【０００８】
本発明に係る簡易パーテーションは、長方形状に構成されたフレームに目隠しとしてカーテンを取り付けた簡易パーテーションであって、カーテンの左右両側には、隣接する他の簡易パーテーションのカーテンと連結するための第１連結部材が備えられている。
そのため、狭い場所で使用する際には、一つの簡易パーテーションを単独で使用する一方、広い場所で使用する場合には、複数の簡易パーテーションを一列に並べ、隣接する簡易パーテーションの左右両側の第１連結部材同士を接続することによって簡易パーテーション間に隙間が空かないように連結することができる。
その結果、本発明に係る簡易パーテーションによれば、使用する場所の広さに応じたアレンジが容易で、使い勝手を向上させることができる。
【図面の簡単な説明】
【０００９】
【図１】本発明に係る実施形態の簡易パーテーションの斜視図である。
【図２】本発明に係る実施形態の簡易パーテーションを例えば３台連結した状態を示す斜視図である。
【図３】（ａ）〜（ｃ）それぞれ本発明に係る実施形態の簡易パーテーションのフレーム（スタンド付き）の正面図、平面図、右側面図である。
【図４】（ａ），（ｂ）それぞれ本発明に係る実施形態の簡易パーテーションのフレームを構成する左縦枠材、右縦枠材、上横枠材および下横枠材を構成する形材（尚、符号は代表して左縦枠材のものを付している。）の断面図、カーテン取付け用パイプの断面図である。
【図５】本発明に係る実施形態の簡易パーテーションを構成するカーテンの平面図である。
【図６】（ａ），（ｂ）それぞれ実施形態の簡易パーテーションにおける隣接する簡易パーテーション間におけるカーテン同士の連結状態を示す断面図、カーテン取付け用パイプに対するカーテンの取り付け状態を示す断面図である。
【図７】（ａ），（ｂ）それぞれ実施形態の簡易パーテーションのスタンドを構成する一対の脚部を開き、且つ、一方の脚部を伸ばした状態を示す正面図、一対の脚部を閉じた状態を示す正面図である。
【図８】実施形態の簡易パーテーションのスタンドを構成するスタンド取付け部材（挟持部が開いた状態）の平面図である。
【図９】（ａ），（ｂ）それぞれ実施形態の簡易パーテーションのスタンドを構成するスタンド取付け部材（挟持部が開いた状態）の正面図、背面図である。
【図１０】（ａ），（ｂ）それぞれ実施形態の簡易パーテーションのスタンドを構成するスタンド取付け部材の挟持部を閉じて縦枠材に取付けた状態を示す平面図、その要部拡大平面図である。
【図１１】（ａ），（ｂ）それぞれ実施形態の簡易パーテーションのジョイント部材の平面図、正面図である。
【図１２】（ａ），（ｂ）それぞれ実施形態の簡易パーテーション同士を図２弐示すように複数台連結した場合における連結部分の要部拡大正面図、要部拡大背面図である。
【図１３】本発明に係る実施形態の簡易パーテーションを構成するカーテンの他の例を示す平面図である。
【発明を実施するための形態】
【００１０】
以下、本発明に係る簡易パーテーションの実施形態を、図面を参照して説明する。尚、以下に説明する実施の形態の簡易パーテーションは、あくまで本発明の一例であり、本発明が下記に説明する実施の形態の簡易パーテーションに限定されるものではなく、本発明の技術的思想の範囲内で適宜変更可能である。
【００１１】
本発明に係る実施形態の簡易パーテーション１は、図１に示すように１台で独立して使用したり、あるいは図２に示すように複数台（説明の便宜上、図２では、３台とするが、３台に限定されることはない。）連結して使用可能なもので、長方形状に構成されたフレーム１１と、フレーム１１に設けられた目隠しであるカーテン１２と、簡易パーテーション１が前後方向に転倒することを防止するようフレーム１２に着脱自在に取り付けられるスタンド１３と、ジョイント部材１４とを有している。
【００１２】
尚、図２に示すように、簡易パーテーション１を複数台連結して使用する場合は、隣接する簡易パーテーション１のフレーム１１の縦枠材同士を連結するジョイント部材１４を使用し、図１に示すように簡易パーテーション１を１台で独立して使用する場合には、使用しない。
【００１３】
（フレーム１１）
フレーム１１は、図３（ａ）〜（ｃ）に示すように、左縦枠材１１ａおよび右縦枠材１１ｂ、一対の横枠材である上横枠材１１ｃおよび下横枠材１１ｄそれぞれの端部を円周の１／４形状のコーナージョイント１１ｅにより連結して、左縦枠材１１ａおよび右縦枠材１１ｂと、上横枠材１１ｃおよび下横枠材１１ｄとが対向して長方形状を形成するように構成されていると共に、それら左縦枠材１１ａおよび右縦枠材１１ｂ間の上下にそれぞれカーテン１２の上下端部を取付けるためのカーテン取付け用パイプ１１ｆ，１１ｇを設けて構成されている。尚、図３（ａ）〜（ｃ）では、フレーム１１が前後方向に転倒しないように左縦枠材１１ａおよび右縦枠材１１ｂには、それぞれ、後述するスタンド１３を取り付けている。
【００１４】
ここで、フレーム１１の大きさは、図３（ｂ）に示すように、例えば高さが１９００ｍｍで、幅が６００ｍｍとする。
【００１５】
フレーム１１を構成する枠材である左縦枠材１１ａ、右縦枠材１１ｂ、上横枠材１１ｃおよび下横枠材１１ｄは、同じ断面形状の形材を所定の長さにカットして使用しており、図４（ａ）に代表して左縦枠材１１ａの断面形状を示す。
【００１６】
図４（ａ）に示すように、左縦枠材１１ａは、対向する一対の平板部１１ａ１,１１ａおよび湾曲板部１１ａ２,１１ａ２を有する扁平形状に形成されており、平板部１１ａ１,１１ａ１および湾曲板部１１ａ２,１１ａ２の外側面には、スプライン加工によって長手方向に延びる凸条部１１ａ３,１１ａ３および凹条部１１ａ４,１１ａ４が形成されている。尚、図示して詳細に説明しないが、右縦枠材１１ｂ、上横枠材１１ｃおよび下横枠材１１ｄも、左縦枠材１１ａと同様の断面形状である。
【００１７】
カーテン取付け用パイプ１１ｆ，１１ｇの断面形状は、図４（ｂ）に示すような中空の円筒状に構成されており、左縦枠材１１ａおよび右縦枠材１１ｂそれぞれの上下の所定位置に形成された丸孔（図示せず。）に通すことによって左縦枠材１１ａおよび右縦枠材１１ｂ間の上下に取り付けられる。
【００１８】
（カーテン１２）
カーテン１２は、図５に示すように、フレーム１１の左縦枠材１１ａおよび右縦枠材１１ｂと、カーテン取付け用パイプ１１ｆ，１１ｇに囲まれた部分の長方形状およびその大きさに応じて長方形状のカーテン本体１２ｅと、そのカーテン本体１２ｅの左右上下それぞれの辺から左右上下方向に突出して設けられた長方形状の左側突出端部１２ａ、右側突出端部１２ｂ、上側突出端部１２ｃおよび下側突出端部１２ｄとを有する。
【００１９】
つまり、カーテン１２は、フレーム１１の形状および大きさに応じて略四角形状で、かつ、その四隅を方形状に切り欠いた長方形状のカーテン本体１２ｅの上下左右それぞれから長方形状の上側突出端部１２ｃ、下側突出端部１２ｄ、左側突出端部１２ａおよび右側突出端部１２ｂが突出した形状に形成されている。
【００２０】
ここで、カーテン本体１２ｅはその幅が例えば６２０ｍｍ、高さが１６３０ｍｍ、左側突出端部１２ａおよび右側突出端部１２ｂはその幅が８５ｍｍ、高さが１６３０ｍｍ、上側突出端部１２ｃおよび下側突出端部１２ｄはその幅が６２０ｍｍ、高さが８０ｍｍである。
【００２１】
左側突出端部１２ａと右側突出端部１２ｂには、それぞれ、図５に示すように、隣接する他の簡易パーテーション１のカーテン１２と隙間が開かないように接続するため上下方向に連続して延びる第１連結部材としてオス側面状ファスナー１２ａ１と、メス側面状ファスナー１２１ｂ１が設けられている。
【００２２】
カーテン１２は、隣接する他の簡易パーテーション１のカーテン１２と、図６（ａ）に示すように結合するため、例えば、オス側面状ファスナー１２ａ１が左側突出端部１２ａの表側に設けられた場合、メス側面状ファスナー１２ｂ１は右側突出端部１２ｂの裏側に設けられる。尚、これとは反対にオス側面状ファスナー１２ａ１を右側突出端部１２ｂ側に設けたり、メス側面状ファスナー１２ｂ１を左側突出端部１２ａ側に設けるようにしても勿論良い。また、オス側面状ファスナー１２ａ１およびメス側面状ファスナー１２ｂ１をカーテン１２の表裏どちらの面に設けるかも任意であり、要は、隣接する各簡易パーテーション１のカーテン１２の左側突出端部１２ａと右側突出端部１２ｂとを結合できれば良い。
【００２３】
また、上側突出端部１２ｃおよび下側突出端部１２ｄの先端部には、それぞれ、図５に示すように、フレーム１１の上下それぞれのカーテン取付け用パイプ１１ｆ，１１ｇに対し着脱自在に連結するための第２連結部材の一方を構成するオス側面状ファスナー１２ｃ１，１２ｄ１が設けられている一方、カーテン本体１２ｅ側の上下には、それぞれ、そのオス側面状ファスナー１２ｃ１，１２ｄ１と結合する第２連結部材の他方を構成するメス側面状ファスナー１２ｃ２，１２ｄ２が設けられている。
【００２４】
そして、カーテン１１の上側は、図６（ｂ）に示すようにカーテン１１の上側突出端部１２ｃをカーテン取付け用パイプ１１ｆに掛けつつ折り返して、上側突出端部１２ｃのオス側面状ファスナー１２ｃ１をカーテン本体１２ｅ上側のメス側面状ファスナー１２ｃ２に結合させて取付ける。
【００２５】
カーテン１１の下側も同様にして、カーテン１１の下側突出端部１２ｄをカーテン取付け用パイプ１１ｇに掛けつつ折り返して、下側突出端部１２ｄのオス側面状ファスナー１２ｄ１をカーテン本体１２ｅ下側のメス側面状ファスナー１２ｄ２に結合させて取付ける。
【００２６】
（スタンド１３）
スタンド１３は、簡易パーテーション１が前後方向に転倒することを防止するため、フレーム１１の左右両側の左縦枠材１１ａおよび右縦枠材１１ｂに着脱自在に取り付けて使用するもので、図１に示すように簡易パーテーション１を１台で使用する場合には、当該簡易パーテーション１の左右両側の左縦枠材１１ａおよび右縦枠材１１ｂに装着して使用し、図２に示すように簡易パーテーション１を複数台連結して使用する場合には、外側の縦枠材、すなわち左側の簡易パーテーション１の左縦枠材１１ａに装着すると共に、右側の簡易パーテーション１の右縦枠材１１ｂに装着して使用される。
【００２７】
スタンド１３の構成は、図７（ａ），（ｂ）に示すように、簡易パーテーション１の左縦枠材１１ａおよび右縦枠材１１ｂに着脱自在に装着されるスタンド取付け部材１３ａと、スタンド取付け部材１３ａに対し上端部が前後方向に回動可能に取り付けられた一対の脚部１３ｂ，１３ｃと、両端部が一対の脚部１３ｂ，１３ｃに回動可能に取り付けられ、一対の脚部１３ｂ，１３ｃの開き過ぎを防止する開き止め具１３ｄとを備えて構成される。
【００２８】
一対の脚部１３ｂ，１３ｃは、図７（ａ），（ｂ）に示すように、それぞれ、中空な大径脚部１３ｂ１，１３ｃ１と、その大径脚部１３ｂ１，１３ｃ１の中に収納され伸長可能な小径脚部１３ｂ２，１３ｃ２と、大径脚部１３ｂ１，１３ｃ１の下端部に設けられ、回転することによって小径脚部１３ｂ２，１３ｃ２を大径脚部１３ｂ１，１３ｃ１に対し任意の突出長さで固定して高さを調整する高さ調整具１３ｂ３，１３ｃ３とを備えている。
【００２９】
そのため、この簡易パーテーション１を、例えば、床が歪んでいる場所や、段差違いの場所に設置する場合には、スタンド１３の脚部１３ｂ，１３ｃの長さを調整することにより簡単に対応することが可能となり、簡易パーテーション１を安定して設置することができる。
【００３０】
尚、図７（ａ）は、一対の脚部１３ｂ，１３ｃおよび開き止め具１３ｄを最大限開いた状態を示しており、図上左側の脚部１３ｂでは、大径脚部１３ｂ１の中に小径脚部１３ｂ２を収納しているが、図上右側の脚部１３ｃでは、大径脚部１３ｃ１から小径脚部１３ｃ２を若干伸長させている。
【００３１】
一方、図７（ｂ）は、一対の脚部１３ｂ，１３ｃおよび開き止め具１３ｄを閉じた状態を示しており、図上左右両側の脚部１３ｂ，１３ｃでは、大径脚部１３ｂ１，１３ｃ１の中に小径脚部１３ｂ２，１３ｃ２を収納させた状態を示している。
【００３２】
スタンド取付け部材１３ａは、図８および図９（ａ），（ｂ）に示すように、スタンド取付け部材本体１３ａ１と、スタンド取付け部材本体１３ａ１に回動支持ピン１３ａ１１によって開閉可能に設けられた可動側挟持部１３ａ２とを有する。
【００３３】
スタンド取付け部材本体１３ａ１は、一対の脚部１３ｂ，１３ｃ上端部を回動支持ピン１３ａ１２，１３ａ１２を介して前後方向に回動可能に支持する脚部支持部１３ａ１３，１３ａ１３と、閉じられた可動側挟持部１３ａ２と共に、簡易パーテーション１の左右両側の左縦枠材１１ａおよび右縦枠材１１ｂを挟持する固定側挟持部１３ａ１４とを備える。
【００３４】
ここで、脚部支持部１３ａ１３，１３ａ１３は、図９（ｂ）に示すように、一対の脚部１３ｂ，１３ｃが閉じた状態（図７（ｂ）参照。）で安定するよう鉛直方向に延びる脚部閉状態支持面１３ａ１３ａ，１３ａ１３ａと、一対の脚部１３ｂ，１３ｃが開いた状態（図７（ａ）参照。）で安定するよう斜め方向に延びる脚部開状態支持面１３ａ１３ｂ，１３ａ１３ｂとを有する。
【００３５】
また、可動側挟持部１３ａ２と固定側挟持部１３ａ１４とは、フレーム１１の左縦枠材１１ａまたは右縦枠材１１ｂを挟持して左縦枠材１１ａまたは右縦枠材１１ｂに取り付けた際、図１０（ａ）に示すように、広げた一対の脚部１３ｂ，１３ｃがフレーム１１の上横枠材１１ｃおよび下横枠材１１ｄと直交するように構成されている。
【００３６】
つまり、固定側挟持部１３ａ１４には、図４（ａ）に示すような平板部１１ａ１,１１ａ１および湾曲板部１１ａ２,１１ａ２を有する扁平形状の左縦枠材１１ａおよび右縦枠材１１ｂの外形およびそれら表面の凸条部１１ａ３,１１ａ３および凹条部１１ａ４,１１ａ４に応じて対向する平板挟持部１３ａ１４ａ, １３ａ１４ａおよび湾曲挟持部１３ａ１４ｂが形成されている一方、可動側挟持部１３ａ２には、湾曲板部１１ａ２,１１ａ２のいずれか一方の湾曲板部に対応した湾曲状挟持部１３ａ２ａが形成されている。
【００３７】
そして、対向する平板挟持部１３ａ１４ａ, １３ａ１４ａは、一対の脚部１３ｂ，１３ｃ上端部を開閉可能に支持する回動支持ピン１３ａ１２，１３ａ１２の軸線方向と平行、すなわち回動支持ピン１３ａ１２，１３ａ１２に開閉可能に支持された一対の脚部１３ｂ，１３ｃの開閉方向に対し直交するように設けられている。
【００３８】
そのため、実施形態の簡易パーテーション１によれば、簡易パーテーション１のフレーム１１の左縦枠材１１ａおよび右縦枠材１１ｂをスタンド取付け部材本体１３ａ１で挟持させてスタンド１３を装着した場合、一対の脚部１３ｂ，１３ｃは上横枠材１１ｃおよび下横枠材１１ｄと直交する方向に広がるため、簡易パーテーション１が前後方向に転倒することを確実に防止することができる。
【００３９】
また、固定側挟持部１３ａ１４の平板挟持部１３ａ１４ａ, １３ａ１４ａおよび湾曲挟持部１３ａ１４ｂには、図１０（ａ），（ｂ）に示すように、左縦枠材１１ａまたは右縦枠材１１ｂの凹条部１１ａ４,１１ａ４に嵌る凸条部１３ａ１４ｃが形成されているため、この点でも可動側挟持部１３ａ２と固定側挟持部１３ａ１４とは、一対の脚部１３ｂ，１３ｃがフレーム１１の上横枠材１１ｃおよび下横枠材１１ｄと直交して広がるようにフレーム１１の左縦枠材１１ａまたは右縦枠材１１ｂを確実に挟持することができる。
【００４０】
また、フレーム１１の左縦枠材１１ａと右縦枠材１１ｂでは、カーテン１２の左側突出端部１２ｄまたは右側突出端部１２ｅを固定しないため、スタンド取付け部材１３ａをフレーム１１の左縦枠材１１ａと右縦枠材１１ｂの任意の高さに取り付けることができる。
【００４１】
（ジョイント部材１４）
ジョイント部材１４は、例えば、合成樹脂等から構成されたもので、図１１（ａ），（ｂ）に示すように、隣接する簡易パーテーション１の左縦枠材１１ａと右縦枠材１１ｂとを確実に連結できるように左縦枠材１１ａおよび右縦枠材１１ｂの外形に応じた内径を有する半円以上の嵌合部１４ａ，１４ａを有している。
【００４２】
そのため、ジョイント部材１４は、図１に示すように簡易パーテーション１を１台で独立して使用する場合には不要で使用しないが、図２に示すように簡易パーテーション１を連結して使用する場合に使用して隣接する簡易パーテーション１の左縦枠材１１ａと右縦枠材１１ｂとに嵌めて連結する。
【００４３】
そして、ジョイント部材１４によって隣接する簡易パーテーション１の左縦枠材１１ａと右縦枠材１１ｂとを連結した際に、その左縦枠材１１ａと右縦枠材１１ｂとの間に隙間が形成されたとしても、その隣接する簡易パーテーション１のカーテン１２同士は、フレーム１１の左縦枠材１１ａと右縦枠材１１ｂから突出した左側突出端部１２ａと右側突出端部１２ｂに設けた一方のカーテン１２のオス側面状ファスナー１２ａ１と他方のカーテン１２のメス側面状ファスナー１２ｂ１とによって隙間が形成されないように連結できるので、図１２（ａ），（ｂ）に示すように左縦枠材１１ａと右縦枠材１１ｂとの間に形成された隙間を確実に覆うことができる。
【００４４】
以上説明したように実施形態の簡易パーテーション１では、フレーム１１に目隠しとして取り付けるカーテン１２の左右両側の左側突出端部１２ａおよび右側突出端部１２ｂには、隣接する他の簡易パーテーション１のカーテン１２と連結するための第１連結部材として、それぞれ、オス側面状ファスナー１２ａ１とメス側面状ファスナー１２１ｂ１とを設けたため、狭い場所で使用する際には、一つの簡易パーテーション１を単独で使用できる一方、広い場所で使用する場合には、複数の簡易パーテーション１を一列に並べ、隣接する簡易パーテーション１ではカーテン１２の左右両側の左側突出端部１２ａおよび右側突出端部１２ｂを使用して簡易パーテーション１間に隙間が空かないように連結することができるので、使用する場所の広さに応じたアレンジが容易となり、使い勝手を向上させることができる。
【００４５】
特に、実施形態の簡易パーテーション１のカーテン１２は、図５に示すように、フレーム１１の形状および大きさに応じて略四角形状で、かつ、その四隅を方形状に切り欠いて長方形状のカーテン本体１２ｅの上下左右それぞれから長方形状の上側突出端部１２ｃ、下側突出端部１２ｄ、左側突出端部１２ａおよび右側突出端部１２ｂが突出した形状に形成し、それらの突出端部に第１連結部材や第２連結部材の一方側を設け、それぞれ、カーテン取付け用パイプ１１ｆ，１１ｇや、隣接する簡易パーテーション１ではカーテン１２の左右両側の左側突出端部１２ａおよび右側突出端部１２ｂを左縦枠材１１ａおよび右縦枠材１１ｂに接続するように構成したため、カーテン１２の四隅でも隙間が開かずに隣接する他の簡易パーテーション１のカーテン１２と接続することができる。
【００４６】
また、実施形態の簡易パーテーション１は、フレーム１１を構成する少なくとも左縦枠材１１ａおよび右縦枠材１１ｂは、断面が扁平形状に形成されており、その左縦枠材１１ａおよび右縦枠材１１ｂには、それぞれ、当該簡易パーテーションが前後方向に転倒することを防止するスタンド１３が着脱自在に装着できるため、図１に示すように１台の簡易パーテーション１を独立して使用する場合、または図２に示すように複数台の簡易パーテーション１を連結して使用する場合でも、左右両側にそれぞれスタンド１３を装着して対応可能となり、狭い場所でも臨機応変に対応できると共に、コストを低減できる。
【００４７】
また、スタンド１３を装着するフレーム１１の左縦枠材１１ａおよび右縦枠材１１ｂの断面を扁平形状に形成しており、その左縦枠材１１ａおよび右縦枠材１１ｂに着脱自在に装着するスタンド取付け部材１３ａは、左縦枠材１１ａおよび右縦枠材１１ｂの断面を扁平形状に応じた固定側挟持部１３ａ１４を有するスタンド取付け部材本体１３ａ１および、スタンド取付け部材本体１３ａ１に回動可能に設けられた可動側挟持部１３ａ２によって簡易パーテーション１の左右両側の左縦枠材１１ａおよび右縦枠材１１ｂを挟持して左縦枠材１１ａおよび右縦枠材１１ｂに取り付けた際、広げた一対の脚部１３ｂ，１３ｃが簡易パーテーション１の上横枠材１１ｃおよび下横枠材１１ｄと直交するように構成されているため、スタンド１３によって簡易パーテーション１が前後方向に転倒することを確実に防止することができる。
【００４８】
特に、固定側挟持部１３ａ１４および可動側挟持部１３ａ２には、左縦枠材１１ａまたは右縦枠材１１ｂの凹条部１１ａ４,１１ａ４に嵌る凸条部１３ａ１４ｃが形成されているため、スタンド１３の一対の脚部１３ｂ，１３ｃがフレーム１１の上横枠材１１ｃおよび下横枠材１１ｄと直交して広がるように左縦枠材１１ａまたは右縦枠材１１ｂを確実に挟持することが可能となり、この点でも、簡易パーテーション１が前後方向に転倒することを確実に防止することができる。
【００４９】
また、フレーム１１の左縦枠材１１ａと右縦枠材１１ｂでは、カーテン１２の左側突出端部１２ｄまたは右側突出端部１２ｅを固定しないため、スタンド取付け部材１３ａをフレーム１１の左縦枠材１１ａと右縦枠材１１ｂの任意の高さに取り付けることが可能となり、大径脚部１３ｂ１，１３ｃ１の中に小径脚部１３ｂ２，１３ｃ２を収納させた伸長式の一対の脚部１３ｂ，１３ｃとも相俟って使い勝手を向上させることができる。
【００５０】
特に、スタンド１３を構成する一対の脚部１３ｂ，１３ｃは、それぞれ、中空な大径脚部１３ｂ１，１３ｃ１と、その大径脚部１３ｂ１，１３ｃ１の中に収納され伸長可能な小径脚部１３ｂ２，１３ｃ２と、高さ調整具１３ｂ３，１３ｃ３とを備えるため、例えば、床が歪んでいる場所や、段差違いの場所に設置する場合でも、脚部１３ｂ，１３ｃの長さを調整することにより簡単に対応することが可能となり、簡易パーテーション１を安定して設置することができる。
【００５１】
尚、上記実施形態の説明では、カーテン１２の左右両側の左側突出端部１２ｄと右側突出端部１２ｅに、隣接する他の簡易パーテーション１のカーテン１２と連結するための第１連結部材としてそれぞれオス側面状ファスナー１２ａ１とメス側面状ファスナー１２ｂ１を設けて説明したが、本発明では、オス側面状ファスナー１２ａ１とメス側面状ファスナー１２ｂ１に限定されるものではなく、例えば、図１３に示すように金属製の線状ファスナー１２ａ２，１２ｂ２を設けても良いし、図示はしないが取付け間隔を短くしたボタンやホック等の点状ファスナーで良いし、さらには、これら面状ファスナーや線状ファスナー、点状ファスナーを任意に組み合わせたものを第１連結部材として使用しても勿論良い。
【００５２】
また、上記実施形態の説明では、上側突出端部１２ｃおよび下側突出端部１２ｄとカーテン本体１２ｅの上下にそれぞれオス側面状ファスナー１２ｃ１，１２ｄ１とメス側面状ファスナー１２ｃ２，１２ｄ２とを設けて第２連結部材を構成したが、本発明では、これに限らず、金属製の線状ファスナーを設けても良いし、ボタンやホック等の点状ファスナーで勿論良いし、さらには、これら面状ファスナーや、線状ファスナー、点状ファスナーを任意に組み合わせたものでも勿論良い。
【符号の説明】
【００５３】
１  簡易パーテーション
１１  フレーム
１１ａ  左縦枠材
１１ａ１，１１ｂ１  平板部
１１ａ２，１１ｂ２  湾曲板部
１１ａ３,１１ｂ３  凸条部
１１ａ４,１１ｂ４  凹条部
１１ｂ  右縦枠材
１１ｃ  上横枠材
１１ｄ  下横枠材
１１ｅ  コーナージョイント
１１ｆ，１１ｇ  カーテン取付け用パイプ
１２  カーテン
１２ａ  左側突出端部
１２ａ１  オス側面状ファスナー（第１連結部材）
１２ａ２  線状ファスナー（第１連結部材）
１２ｂ  右側突出端部
１２ｂ１  メス側面状ファスナー（第１連結部材）
１２ｂ２  線状ファスナー（第１連結部材）
１２ｃ  上側突出端部
１２ｃ１  オス側面状ファスナー（第２連結部材）
１２ｃ２  メス側面状ファスナー（第２連結部材）
１２ｄ  下側突出端部
１２ｄ１  オス側面状ファスナー（第２連結部材）
１２ｄ２  メス側面状ファスナー（第２連結部材）
１２ｅ  カーテン本体
１３  スタンド
１３ａ  スタンド取付け部材
１３ａ１  スタンド取付け部材本体
１３ａ１１  回動支持ピン
１３ａ１２，１３ａ１２  回動支持ピン
１３ａ１３  脚部支持部
１３ａ１３ａ，１３ａ１３ａ  脚部閉状態支持面
１３ａ１３ｂ，１３ａ１３ｂ  脚部開状態支持面
１３ａ１４  固定側挟持部（挟持部）
１３ａ１４ａ, １３ａ１４ａ  平板挟持部
１３ａ１４ｂ  湾曲挟持部
１３ａ１４ｃ  凸条部
１３ａ２  可動側挟持部１３ａ２（挟持部）
１３ａ２ａ  湾曲状挟持部
１３ｂ，１３ｃ  脚部
１３ｂ１，１３ｃ１  大径脚部
１３ｂ２，１３ｃ２  小径脚部
１３ｂ３，１３ｃ３  高さ調整具
１３ｄ  開き止め具
１４  ジョイント部材
【図１】
2019013287.tif 000003
【図２】
2019013287.tif 000004
【図３】
2019013287.tif 000005
【図４】
2019013287.tif 000006
【図５】
2019013287.tif 000007
【図６】
2019013287.tif 000008
【図７】
2019013287.tif 000009
【図８】
2019013287.tif 000010
【図９】
2019013287.tif 000011
【図１０】
2019013287.tif 000012
【図１１】
2019013287.tif 000013
【図１２】
2019013287.tif 000014
【図１３】
2019013287.tif 000015